(57)【要約】【課題】２Ｄ画像と３Ｄ画像とが混在する複数の画像を早送り再生する際に、画像の視認性の向上と観察者の疲労感の軽減を可能にする。【解決手段】２Ｄ画像と３Ｄ画像とが混在する画像を再生する際に、早送り再生か否かを判別する（ステップＳ１２）。早送り再生と判別されると、表示用の２Ｄ画像（３Ｄ画像ファイルの場合には左画像）を生成して表示する（ステップＳ１４、Ｓ１６、Ｓ１８、Ｓ２０）。一方、早送り再生でない（コマ送り再生）と判別されると、現在読み出されている画像ファイルが２Ｄ画像ファイルか３Ｄ画像ファイルに応じて表示用の２Ｄ画像又は３Ｄ画像を生成して表示する（ステップＳ２８、Ｓ３０、Ｓ３２、Ｓ３４）。これにより、早送り再生時には２Ｄ画像ファイル又は３Ｄ画像ファイルにかかわらず、２Ｄ画像のみが表示され、短時間で切り替わる画像の視認性を上げることができる。【選択図】  図６
2011097451.tif 000002
【特許請求の範囲】
【請求項１】
２次元画像が記録された２次元画像ファイルと複数の視点から同一被写体を撮影した複数の画像からなる３次元画像が記録された３次元画像ファイルとが混在して記録された記録メディアから画像ファイルの読み出しを指示する手段であって、１コマの再生時間が長いコマ送り再生又は前記コマ送り再生の再生時間よりも再生時間が短い早送り再生を指示する再生指示手段と、
前記再生指示手段による読み出し指示に基づいて前記記録メディアから画像ファイルを取得する画像取得手段と、
前記画像取得手段が取得した画像ファイルが２次元画像ファイルか３次元画像ファイルかを判別する判別手段と、
前記画像取得手段が２次元画像ファイルを取得した場合には、該２次元画像ファイル内の画像に基づいて２次元表示用画像を生成し、前記再生指示手段によりコマ送り再生が指示され、かつ前記画像取得手段が３次元画像ファイルを取得した場合には、前記取得した３次元画像ファイル内の画像から視差をもった３次元表示用画像を生成し、前記再生指示手段により早送り再生が指示され、かつ前記画像取得手段が３次元画像ファイルを取得した場合には、前記取得した３次元画像ファイル内の画像から２次元表示用画像を生成する表示用画像生成手段と、
前記表示用画像生成手段により生成された２次元表示用画像又は３次元表示用画像に基づいて２次元画像又は３次元画像を表示する画像表示手段と、
を備えたことを特徴とする３次元画像表示装置。
【請求項２】
前記再生指示手段は、ワンプッシュするごとに１コマ送り又は１コマ戻しを指示するコマ送り操作手段を有し、前記コマ送り操作手段が所定時間以上押され続けられると、予め設定された時間間隔で画像ファイルを読み出す早送り再生を指示することを特徴とする請求項１に記載の３次元画像表示装置。
【請求項３】
前記再生指示手段は、ワンプッシュするごとに１コマ送り又は１コマ戻しを指示するコマ送り操作手段と、早送り又は早戻しを指示する早送り操作手段とを有し、前記早送り操作手段が操作されると、予め設定された時間間隔で画像ファイルを読み出す早送り再生を指示することを特徴とする請求項１に記載の３次元画像表示装置。
【請求項４】
前記３次元画像ファイルは、先頭画像に続いて１ないし複数の画像が連続して格納されたマルチピクチャファイルであり、
前記表示画像生成手段は、前記再生指示手段により早送り再生が指示され、かつ前記画像取得手段が３次元画像ファイルを取得した場合には、前記取得した３次元画像ファイルから先頭画像を取得し、該先頭画像に基づいて前記２次元表示用画像を生成することを特徴とする請求項１から３のいずれかに記載の３次元画像表示装置。
【請求項５】
前記３次元画像ファイルは、先頭画像に続いて１ないし複数の画像が連続して格納されたマルチピクチャファイルであり、
前記表示画像生成手段は、前記再生指示手段により早送り再生が指示され、かつ前記画像取得手段が３次元画像ファイルを取得した場合には、前記取得した３次元画像ファイルから先頭画像に対応する付属情報内のサムネイル画像を取得し、該サムネイル画像に基づいて前記２次元表示用画像を生成することを特徴とする請求項１から３のいずれかに記載の３次元画像表示装置。
【請求項６】
前記判別手段は、前記画像ファイルの拡張子又は該画像ファイルに格納された付属情報に基づいて該画像ファイルが２次元画像ファイルか３次元画像ファイルかを判別することを特徴とする請求項１から５のいずれかに記載の３次元画像表示装置。
【請求項７】
前記画像表示手段は、左右方向に指向性をもった２以上の指向性画像を表示する３次元画像表示手段であり、
前記表示用画像生成手段は、前記画像表示手段が正面から視認されるときの第１の指向性画像として前記表示用画像を生成するとともに、前記画像表示手段が左右方向から視認されるときの第２の指向性画像であって、前記第１の指向性画像と異なる表示用画像を生成することを特徴とする請求項１から６のいずれかに記載の３次元画像表示装置。
【請求項８】
前記第２の指向性画像は、前記２次画像ファイルから生成される２次元画像と、前記３次元画像ファイルから生成される２次元画像との種別を可能にする画像であることを特徴とする請求項７に記載の３次元画像表示装置。
【請求項９】
前記第２の指向性画像は、前記２次画像ファイルから生成される２次元画像と同時に表示させる該２次元画像に関連する情報、又は前記３次画像ファイルから生成される２次元画像と同時に表示させる該３次元画像に関連する情報のうちのいずれか一方であることを特徴とする請求項８に記載の３次元画像表示装置。
【請求項１０】
２次元画像が記録された２次元画像ファイルと複数の視点から同一被写体を撮影した複数の画像からなる３次元画像が記録された３次元画像ファイルとが混在して記録された記録メディアから画像ファイルの読み出しを受け付ける工程であって、１コマの再生時間が長いコマ送り再生又は前記コマ送り再生の再生時間よりも再生時間が短い早送り再生の指示を受け付ける工程と、
前記受け付けた再生の指示に基づいて画像取得手段により前記記録メディアから画像ファイルを取得する工程と、
前記画像取得手段が取得した画像ファイルが２次元画像ファイルか３次元画像ファイルかを判別手段により判別する工程と、
前記画像取得手段が２次元画像ファイルを取得した場合には、該２次元画像ファイル内の画像に基づいて２次元表示用画像を生成し、前記コマ送り再生を受け付け、かつ前記画像取得手段が３次元画像ファイルを取得した場合には、前記取得した３次元画像ファイル内の画像から視差をもった３次元表示用画像を生成し、前記早送り再生を受け付け、かつ前記画像取得手段が３次元画像ファイルを取得した場合には、前記取得した３次元画像ファイル内の画像から２次元表示用画像を生成する工程と、
前記生成された２次元表示用画像又は３次元表示用画像に基づいて２次元画像又は３次元画像を画像表示手段に表示させる工程と、
を含むことを特徴とする３次元画像表示方法。
【請求項１１】
前記３次元画像ファイルは、先頭画像に続いて１ないし複数の画像が連続して格納されたマルチピクチャファイルであり、
前記２次元表示用画像を生成する工程は、前記早送り再生を受け付け、かつ前記画像取得手段が３次元画像ファイルを取得した場合には、前記取得した３次元画像ファイルから先頭画像までの情報を取得し、該先頭画像に基づいて前記２次元表示用画像を生成することを特徴とする請求項１０に記載の３次元画像表示方法。
【請求項１２】
前記３次元画像ファイルは、先頭画像に続いて１ないし複数の画像が連続して格納されたマルチピクチャファイルであり、
前記２次元表示用画像を生成する工程は、前記早送り再生を受け付け、かつ前記画像取得手段が３次元画像ファイルを取得した場合には、前記取得した３次元画像ファイルから先頭画像に対応する付属情報までの情報を取得し、該付属情報に含まれるサムネイル画像に基づいて前記２次元表示用画像を生成することを特徴とする請求項１０に記載の３次元画像表示方法。
【発明の詳細な説明】
【技術分野】
【０００１】
本発明は３次元画像表示装置及び方法に係り、特に２次元画像と３次元画像とが混在して記録された記録メディアから所望の画像を読み出して再生する３次元画像表示装置及び方法に関する。
【背景技術】
【０００２】
２次元画像（２Ｄ画像）と３次元画像（３Ｄ画像）の撮影機能を持つデジタルカメラは、１つの記録メディアに２Ｄ画像と３Ｄ画像とを混在した状態で記録する。この種のデジタルカメラで画像が記録された記録メディアには、２Ｄ画像と３Ｄ画像とが混在して記録されるため、この記録メディアの画像を３Ｄ画像表示装置により、例えば、ファイル名順（撮影日時順）に順次再生すると、２Ｄ画像と３Ｄ画像とが混在して再生されることになる。
【０００３】
２Ｄ画像と３Ｄ画像が混在する複数の画像を順次連続して再生する場合、２Ｄ画像から３Ｄ画像、又は３Ｄ画像から２Ｄ画像に表示が変化し、これが繰り返されると、立体感のある画像と立体感のない画像の変化が続き、画像の観察者に疲労感を与えることがある。
【０００４】
従来、この疲労感を解決するために、入力する画像が２Ｄ画像か３Ｄ画像かを判別し、２Ｄ画像と判別されると、２Ｄ画像から計算によって擬似的に視差画像を形成し（２Ｄ画像を３Ｄ画像に変換し）、３Ｄ表示するようにした画像表示装置が提案されている（特許文献１）。
【先行技術文献】
【特許文献】
【０００５】
【特許文献１】特開２００８−４２６４５号公報
【発明の概要】
【発明が解決しようとする課題】
【０００６】
しかしながら、特許文献１に記載の発明のように２Ｄ画像から擬似的に３Ｄ画像生成し、２Ｄ画像と３Ｄ画像とが混在する画像全てを３Ｄ表示する場合であっても、所望の画像をサーチするために早送り再生（早戻し再生を含む）をする場合には、種々の視差をもった３Ｄ画像に対して目が順応する前にコマが切り替わるため、３Ｄ画像が見づらいばかりでなく、観察者に疲労感を与えるという問題がある。
【０００７】
本発明はこのような事情に鑑みてなされたもので、２次元画像と３次元画像とが混在する複数の画像を早送り再生する際に、画像の視認性を上げることができるとともに、観察者の疲労感を軽減することができる３次元画像表示装置及び方法を提供することを目的とする。
【課題を解決するための手段】
【０００８】
前記目的を達成するために請求項１に係る３次元画像表示装置は、２次元画像が記録された２次元画像ファイルと複数の視点から同一被写体を撮影した複数の画像からなる３次元画像が記録された３次元画像ファイルとが混在して記録された記録メディアから画像ファイルの読み出しを指示する手段であって、１コマの再生時間が長いコマ送り再生又は前記コマ送り再生の再生時間よりも再生時間が短い早送り再生を指示する再生指示手段と、前記再生指示手段による読み出し指示に基づいて前記記録メディアから画像ファイルを取得する画像取得手段と、前記画像取得手段が取得した画像ファイルが２次元画像ファイルか３次元画像ファイルかを判別する判別手段と、前記画像取得手段が２次元画像ファイルを取得した場合には、該２次元画像ファイル内の画像に基づいて２次元表示用画像を生成し、前記再生指示手段によりコマ送り再生が指示され、かつ前記画像取得手段が３次元画像ファイルを取得した場合には、前記取得した３次元画像ファイル内の画像から視差をもった３次元表示用画像を生成し、前記再生指示手段により早送り再生が指示され、かつ前記画像取得手段が３次元画像ファイルを取得した場合には、前記取得した３次元画像ファイル内の画像から２次元表示用画像を生成する表示用画像生成手段と、前記表示用画像生成手段により生成された２次元表示用画像又は３次元表示用画像に基づいて２次元画像又は３次元画像を表示する画像表示手段と、を備えたことを特徴としている。
【０００９】
請求項１に係る発明は、２次元画像ファイルと３次元画像とが混在して記録された記録メディアから順次画像ファイルを読み出し、その読み出した画像ファイルに対応する画像を再生する場合において、各コマの再生時間が短い早送り再生を行うときには、読み出した画像ファイルが２次元画像ファイルか３次元画像ファイルかにかかわらず、２次元画像として再生するようにしている。即ち、読み出した画像ファイルが３次元画像ファイルの場合であっても、その３次元画像ファイルに対応する画像を２次元画像として再生する。
【００１０】
これにより、早送り再生時に短時間だけ表示される画像の視認性を向上させることができるとともに、観察者の疲労感を軽減することができるようにしている。尚、早送り再生は、多数の画像の中から所望の画像を探すときの再生であり、画像を鑑賞するための再生ではないため、３次元画像を２次元画像で表示しても早送り再生の目的は達成される。
【００１１】
請求項２に示すように請求項１に記載の３次元画像表示装置において、前記再生指示手段は、ワンプッシュするごとに１コマ送り又は１コマ戻しを指示するコマ送り操作手段を有し、前記コマ送り操作手段が所定時間以上押され続けられると、予め設定された時間間隔で画像ファイルを読み出す早送り再生を指示することを特徴としている。
【００１２】
これにより、コマ送り再生と早送り再生とを同じコマ送り操作手段を使用して指示することができる。尚、前記コマ送り操作手段の押下が停止されると、早送り再生も停止してコマ送り再生に切り替わり、その結果、停止した画像は、２次原画像から３次元画像に切り替わる。
【００１３】
請求項３に示すように請求項１に記載の３次元画像表示装置において、前記再生指示手段は、ワンプッシュするごとに１コマ送り又は１コマ戻しを指示するコマ送り操作手段と、早送り又は早戻しを指示する早送り操作手段とを有し、前記早送り操作手段が操作されると、予め設定された時間間隔で画像ファイルを読み出す早送り再生を指示することを特徴としている。
【００１４】
請求項４に示すように請求項１から３のいずれかに記載の３次元画像表示装置において、前記３次元画像ファイルは、先頭画像に続いて１ないし複数の画像が連続して格納されたマルチピクチャファイルであり、前記表示画像生成手段は、前記再生指示手段により早送り再生が指示され、かつ前記画像取得手段が３次元画像ファイルを取得した場合には、前記取得した３次元画像ファイルから先頭画像を取得し、該先頭画像に基づいて前記２次元表示用画像を生成することを特徴としている。即ち、３次元画像ファイル（マルチピクチャファイル）から先頭画像までの情報を取得すれば２次元画像の再生ができ、これにより早送り再生時の３次元画像ファイルに対する処理量及び処理時間を低減することができる。
【００１５】
請求項５に示すように請求項１から３のいずれかに記載の３次元画像表示装置において、前記３次元画像ファイルは、先頭画像に続いて１ないし複数の画像が連続して格納されたマルチピクチャファイルであり、前記表示画像生成手段は、前記再生指示手段により早送り再生が指示され、かつ前記画像取得手段が３次元画像ファイルを取得した場合には、前記取得した３次元画像ファイルから先頭画像に対応する付属情報内のサムネイル画像を取得し、該サムネイル画像に基づいて前記２次元表示用画像を生成することを特徴としている。請求項５に係る発明によれば、請求項４に係る発明の場合よりも更に早送り再生時の３次元画像ファイルに対する処理量及び処理時間を低減することができる。
【００１６】
請求項６に示すように請求項１から５のいずれかに記載の３次元画像表示装置において、前記判別手段は、前記画像ファイルの拡張子又は該画像ファイルに格納された付属情報に基づいて該画像ファイルが２次元画像ファイルか３次元画像ファイルかを判別することを特徴としている。
【００１７】
請求項７に示すように請求項１から６のいずれかに記載の３次元画像表示装置において、前記画像表示手段は、左右方向に指向性をもった２以上の指向性画像を表示する３次元画像表示手段であり、前記表示用画像生成手段は、前記画像表示手段が正面から視認されるときの第１の指向性画像として前記表示用画像を生成するとともに、前記画像表示手段が左右方向から視認されるときの第２の指向性画像であって、前記第１の指向性画像と異なる表示用画像を生成することを特徴としている。
【００１８】
即ち、前記画像表示手段を正面から観察する場合には、請求項１から６に係る発明と同様に２次元画像又は３次元画像（第１の指向性画像）を視認することができ、一方、画像表示手段を左右方向に傾けて該画像表示手段を左右方向から観察する場合には、前記第１の指向性画像と異なる第２の指向性画像を表示するようにしている。特に、早送り再生時には、２次元画像のみが表示されるため、表示された２次元画像が２次元画像ファイルから生成されたものか、３次元画像ファイルから生成されたものかを区別することができないが、前記画像表示手段を左右方向から観察して第２の指向性画像を視認することにより、これらを区別できるようにしている。
【００１９】
請求項８に示すように請求項７に記載の３次元画像表示装置において、前記第２の指向性画像は、前記２次画像ファイルから生成される２次元画像と、前記３次元画像ファイルから生成される２次元画像との種別を可能にする画像であることを特徴としている。
【００２０】
請求項９に示すように請求項８に記載の３次元画像表示装置において、前記第２の指向性画像は、前記２次画像ファイルから生成される２次元画像と同時に表示させる該２次元画像に関連する情報、又は前記３次画像ファイルから生成される２次元画像と同時に表示させる該３次元画像に関連する情報のうちのいずれか一方であることを特徴としている。
【００２１】
請求項１０に係る３次元画像表示方法において、２次元画像が記録された２次元画像ファイルと複数の視点から同一被写体を撮影した複数の画像からなる３次元画像が記録された３次元画像ファイルとが混在して記録された記録メディアから画像ファイルの読み出しを受け付ける工程であって、１コマの再生時間が長いコマ送り再生又は前記コマ送り再生の再生時間よりも再生時間が短い早送り再生の指示を受け付ける工程と、前記受け付けた再生の指示に基づいて画像取得手段により前記記録メディアから画像ファイルを取得する工程と、前記画像取得手段が取得した画像ファイルが２次元画像ファイルか３次元画像ファイルかを判別手段により判別する工程と、前記画像取得手段が２次元画像ファイルを取得した場合には、該２次元画像ファイル内の画像に基づいて２次元表示用画像を生成し、前記コマ送り再生を受け付け、かつ前記画像取得手段が３次元画像ファイルを取得した場合には、前記取得した３次元画像ファイル内の画像から視差をもった３次元表示用画像を生成し、前記早送り再生を受け付け、かつ前記画像取得手段が３次元画像ファイルを取得した場合には、前記取得した３次元画像ファイル内の画像から２次元表示用画像を生成する工程と、前記生成された２次元表示用画像又は３次元表示用画像に基づいて２次元画像又は３次元画像を画像表示手段に表示させる工程と、を含むことを特徴としている。
【００２２】
請求項１１に示すように請求項１０に記載の３次元画像表示方法において、前記３次元画像ファイルは、先頭画像に続いて１ないし複数の画像が連続して格納されたマルチピクチャファイルであり、前記２次元表示用画像を生成する工程は、前記早送り再生を受け付け、かつ前記画像取得手段が３次元画像ファイルを取得した場合には、前記取得した３次元画像ファイルから先頭画像までの情報を取得し、該先頭画像に基づいて前記２次元表示用画像を生成することを特徴としている。
【００２３】
請求項１２に示すように請求項１０に記載の３次元画像表示方法において、前記３次元画像ファイルは、先頭画像に続いて１ないし複数の画像が連続して格納されたマルチピクチャファイルであり、前記２次元表示用画像を生成する工程は、前記早送り再生を受け付け、かつ前記画像取得手段が３次元画像ファイルを取得した場合には、前記取得した３次元画像ファイルから先頭画像に対応する付属情報までの情報を取得し、該付属情報に含まれるサムネイル画像に基づいて前記２次元表示用画像を生成することを特徴としている。
【発明の効果】
【００２４】
本発明によれば、２次元画像と３次元画像とが混在する複数の画像を早送り再生する場合には、３次元画像であっても２次元画像として再生するようにしたため、短時間に視差が変化する画像を観察する必要がなく、これにより早送り再生時の画像の視認性を向上させることができるとともに、観察者の疲労感を軽減する効果がある。
【図面の簡単な説明】
【００２５】
【図１】図１は本発明の第１実施形態の３次元画像表示装置を示す外観図である。
【図２】図２は図１に示した３次元画像表示装置の内部構成を示すブロック図である。
【図３】図３は画像ファイルが記録されるメモリカードのディレクトリ構造を示す図である。
【図４】図４はｎ視点の３Ｄ画像用の３Ｄ画像ファイルのデータ構造を示す図である。
【図５】図５は２視点の３Ｄ画像用の３Ｄ画像ファイルのデータ構造を示す図である。
【図６】図６は本発明に係る３次元画像表示装置の作用を示すフローチャートである。
【図７】図７は本発明に係る３次元画像表示装置により順次再生される２次元画像又は３次元画像のイメージ図である。
【図８】図８は本発明の第２実施形態の３次元画像表示装置を備えたデジタルカメラの正面図である。
【図９】図９は本発明の第２実施形態の３次元画像表示装置を備えたデジタルカメラの背面図である。
【図１０】図１０は図８及び図９に示したデジタルカメラの内部構成を示すブロック図である。
【図１１】図１１は左右方向の異なる４方向から異なる画像が視認できる３Ｄ画像表示器の原理を示す図である。
【図１２】図１２は本発明の第３実施形態のデジタルカメラの背面図であり、正面から見た場合の背面図である。
【図１３】図１３は本発明の第３実施形態のデジタルカメラの背面図であり、右から見た場合の背面図である。
【図１４】図１４は本発明の第３実施形態のデジタルカメラの背面図であり、左から見た場合の背面図である。
【発明を実施するための形態】
【００２６】
以下、添付図面に従って本発明に係る３次元画像表示装置及び方法の実施の形態について説明する。
【００２７】
［３次元画像表示装置の第１実施形態］
図１は本発明の第１実施形態の３次元画像表示装置を示す外観図である。
【００２８】
図１に示すように、この３次元画像表示装置（３Ｄ画像表示装置）１０は、カラーの３次元液晶ディスプレイ（以下、「３Ｄ ＬＣＤ」という）１２を搭載したデジタルフォトフレームであり、前面には電源スイッチ、コマ送りスイッチ、通常表示・スライドショー等を選択するスイッチを含む操作部１４が設けられ、側面にはメモリカードスロット１６が設けられている。
【００２９】
図２は上記３Ｄ画像表示装置１０の内部構成を示すブロック図である。
【００３０】
図２に示すように３Ｄ画像表示装置１０は、上記３Ｄ ＬＣＤ１２、操作部１４の他に、中央処理装置（ＣＰＵ）２０、ワークメモリ２２、カードインターフェース（カードＩ／Ｆ）２４、表示コントローラ２６、バッファメモリ２８、ＥＥＰＲＯＭ３０、及び電源部３２を備えている。
【００３１】
３Ｄ ＬＣＤ１２は、複数の画像（右目用画像、左目用画像）をレンチキュラレンズやパララックスバリア等によりそれぞれ所定の指向性をもった指向性画像を表示するものなどが適用できる。
【００３２】
ＣＰＵ２０は、操作部１４からの入力に基づき所定の制御プログラムに従って３Ｄ画像表示装置１０全体の動作を統括制御する制御手段として機能する。尚、ＣＰＵ２０による制御内容については後述する。
【００３３】
ワークメモリ２２は、ＣＰＵ２０の演算作業用領域及び画像データの一時記憶領域を含んでいる。
【００３４】
カードＩ／Ｆ２４は、デジタルカメラの記録メディアであるメモリカード３４がメモリカードスロット１６に装着されると、メモリカード３４と電気的に接続され、メモリカード３４との間でデータ（画像データ）の送受信を行うための装置である。
【００３５】
表示コントローラ２６は、表示用の画像データ専用の一時記憶領域であるバッファメモリ２８から３Ｄ表示用の画像データ（複数の画像データ）を繰り返し読み出し、３Ｄ ＬＣＤ１２での３Ｄ表示用の信号に変換して３Ｄ ＬＣＤ１２に出力する。これにより、３Ｄ ＬＣＤ１２に３Ｄ画像を表示させる。
【００３６】
電源部３２は、図示しないバッテリ又は商用電源からの電力を制御して、３Ｄ画像表示装置１０各部に動作電力を供給する。
【００３７】
尚、操作部１４としては、赤外リモコン装置を使用し、該赤外リモコン装置から３Ｄ画像表示装置１０の図示しない赤外受信部に操作用の赤外リモコン信号を送信するものも含む。
【００３８】
＜メモリカードのディレクトリ構造＞
図３は３Ｄ画像表示装置１０に装着されるメモリカード３４のディレクトリ構造の一例を示す。
【００３９】
図３に示すように、イメージルートディレクトリDCIM(Digital Camera IMages) の直下の階層のフォルダ(100_PICT)に、２Ｄ画像又は３Ｄ画像の画像ファイルが配置されている。
【００４０】
各画像ファイルには、所定の命名規則に基づいてファイル名が付けられており、この実施の形態では、アルファベットの４文字（自由文字）＋４桁のファイル番号によりファイル名が付けられている。ファイル番号は、画像ファイルの作成順に、最大番号＋１の連番が自動的に付されている。
【００４１】
また、２Ｄ画像と３Ｄ画像とでは、画像ファイルの拡張子が異なっており、この実施の形態では、２Ｄ画像の画像ファイルの拡張子は、ＪＰＥＧ画像を表す「JPG」、３Ｄ画像の画像ファイルの拡張子は、複数のＪＰＥＧ画像をつなぎ合わせて作成された１つのマルチピクチャファイルを表す「MPO」としている。
【００４２】
尚、マルチピクチャファイルには、３Ｄ画像（立体視）用の他に、パノラマ画像やマルチアングル画像用のものがあるが、この実施形態では、３Ｄ画像用のマルチピクチャファイルが適用されている。
【００４３】
図４はマルチピクチャファイル（３Ｄ画像ファイル）のデータ構造の一例を示す図である。
【００４４】
図４に示すように３Ｄ画像ファイルＦは、Exif規格のファイルフォーマットを利用し、複数の画像を一体化して記録するファイル形式を採っており、個別画像(1)（先頭画像）Ａ１、個別画像(2)Ａ２，個別画像(2)Ａ２、…、個別画像(n)Ａｎが連結されて構成されている。
【００４５】
各個別画像の領域は、各個別画像の開始位置を示すＳＯＩ（Start of Image）と終了位置を示すＥＯＩ（End of Image）とにより区分されており、ＳＯＩの次に個別画像のExif付属情報が記録されるAPP1マーカセグメントと、多視点付属情報が記録されるAPP2マーカセグメントが設けられ、その次に視点画像（個別画像）が記録される。
【００４６】
尚、APP1マーカセグメントには、Ｅｘｉｆ識別情報、ＴＩＦＦヘッダ、ＩＦＤ（Image file directory）領域（ＩＦＤ０領域（0th IFD）及びＩＦＤ１領域（1st IFD））が設けられている。ＩＦＤ１領域（1st IFD）には、個別画像から生成されたサムネイル画像が格納される。また、APP2マーカセグメントには、個別情報ＩＦＤが含まれる。
【００４７】
個別情報ＩＦＤには、個別画像の種別（３Ｄ，パノラマ、マルチアングル）、個別画像の枚数、個別画像番号、輻輳角、基線長等が含まれる。
【００４８】
図５は２視点の画像（左画像と右画像）が格納されたマルチピクチャファイルのデータ構造の一例を示す図である。この実施形態のマルチピクチャファイルは、左画像を視点画像(1)（先頭画像）として格納し、右画像を視点画像(2)として格納している。
【００４９】
＜３Ｄ画像表示装置１０の作用＞
次に、上記３Ｄ画像表示装置１０の作用を、図６に示すフローチャートを参照しながら説明する。
【００５０】
図６において、３次元画像表示装置１０の操作部１４の電源スイッチがオンされ、再生モードとして静止画を１コマずつ再生する通常再生が設定されている場合には、ＣＰＵ２０は、メモリカードスロット１６に装着されているメモリカード３４からカードＩ／Ｆ２４を介して最初の１コマ（ファイル番号が最小の１コマ）の画像ファイルを読み出す（ステップＳ１０）。尚、メモリカード３４には、２Ｄ画像ファイルと３Ｄ画像ファイルとが混在して記録されている。
【００５１】
続いて、ＣＣＤ２０は、予め設定された短い時間間隔（例えば、１秒以下）で次々とコマ画像を切り替えて再生する早送り再生が操作部１４から指示されているかを判別する（ステップＳ１２）。
【００５２】
例えば、ワンプッシュするごとに１コマ送り又は１コマ戻しを指示するコマ送りスイッチが、所定時間以上押され続けられている場合には、早送り再生が指示されていると判別することができる。また、このようにして早送り再生が指示されたと判別する場合には、コマ送りスイッチの押下が停止すると、早送り再生からコマ送り再生に切り替えられたと判別することができる。尚、コマ送りスイッチとは別に、早送り再生（早戻し再生）を指示する専用スイッチが設けられている場合には、その専用スイッチの入力により早送り再生が指示されたか否かを判別することができる。
【００５３】
ステップＳ１２で早送り再生が指示されていると判別されると（「Ｙｅｓ」の場合）、ＣＣＤ２０は、現在読み出されている画像ファイルが、２Ｄ画像ファイルか３Ｄ画像ファイルかを、画像ファイルの拡張子に基づいて判定する（ステップＳ１４）。即ち、拡張子が「JPG」の場合には、２Ｄ画像ファイルと判別し、拡張子が「MPO」の場合には、マルチピクチャファイル（３Ｄ画像ファイル）と判別する。尚、マルチピクチャファイルには、３Ｄ画像以外にパノラマ画像等が格納されている場合があるため、更に画像ファイルの付属情報中の個別画像種別管理情報を読み取ることにより３Ｄ画像ファイルか否かを判別するようにしてもよい。
【００５４】
ステップＳ１４において、２Ｄ画像ファイルと判別されると、ＣＰＵ２０は、その画像ファイルに格納された画像（本画像）を読み出し、３Ｄ ＬＣＤ１２に表示するための２Ｄ表示用画像を生成し（ステップＳ１６）、一方、３Ｄ画像ファイルと判別されると、ＣＰＵ２０は、その画像ファイルに格納された左画像（図５に示した先頭画像（視点画像(1)）を読み出し、３Ｄ ＬＣＤ１２に表示するための２Ｄ表示用画像を生成する（ステップＳ１８）。
【００５５】
ＣＰＵ２０は、上記のようにして生成された２Ｄ表示用画像をバッファメモリ２８に一時記憶させ、表示コントローラ２６は、バッファメモリ２８から２Ｄ表示用画像を読み出し、３Ｄ ＬＣＤ１２に出力する。これにより、３Ｄ ＬＣＤ１２に２Ｄ画像を表示させる（ステップＳ２０）。
【００５６】
続いて、早送り再生時の１コマの再生時間である一定時間表示されたか否かを判別し（ステップＳ２２）、一定時間未満の場合には、ステップＳ２４を介してステップＳ２０に遷移し、引き続き２Ｄ画像を表示させる。
【００５７】
一方、ステップＳ２２において、一定時間表示されたと判別されると（「Ｙｅｓ」の場合）、次の１コマの画像ファイルを読み出したのち（ステップＳ２６）、ステップＳ１２に遷移させる。
【００５８】
これにより、早送り再生が指示されている場合には、短い時間間隔でコマ画像が切り替えられて再生されるが、この場合には、順次読み出される画像ファイルが２Ｄ画像ファイル又は３Ｄ画像ファイルにかかわらず、２Ｄ画像として再生される。
【００５９】
一方、ステップＳ１２において、早送り再生ではなくコマ送り再生であると判別されると（「Ｎｏ」の場合）、ＣＣＤ２０は、ステップＳ１４と同様に現在読み出されている画像ファイルが、２Ｄ画像ファイルか３Ｄ画像ファイルかを、画像ファイルの拡張子等に基づいて判別する（ステップＳ２８）。
【００６０】
そして、２Ｄ画像ファイルと判別されると、ＣＰＵ２０は、その画像ファイルに格納された画像を読み出し、３Ｄ ＬＣＤ１２に表示するための２Ｄ表示用画像を生成し（ステップＳ３０）、一方、３Ｄ画像ファイルと判別されると、ＣＰＵ２０は、その画像ファイルに格納された左画像及び右画像（図５に示した視点画像(1)と視点画像(2)）を読み出し、３Ｄ ＬＣＤ１２に表示するための３Ｄ表示用画像を生成する（ステップＳ３２）。
【００６１】
ＣＰＵ２０は、上記のようにして生成された２Ｄ表示用画像又は３Ｄ表示用画像をバッファメモリ２８に一時記憶させ、表示コントローラ２６は、バッファメモリ２８から２Ｄ表示用画像又は３Ｄ表示用画像を読み出し、３Ｄ ＬＣＤ１２に出力する。これにより、３Ｄ ＬＣＤ１２に２Ｄ画像又は３Ｄ画像を表示させる（ステップＳ３４）。
【００６２】
続いて、ＣＰＵ２０は、コマ送りスイッチから１コマ送り又は１コマ戻しのコマ送り指示が入力されたか否かを判別し（ステップＳ３６）、コマ送り指示入力がない場合（「Ｎｏ」の場合）には、ステップＳ３８を介してステップＳ３４に遷移し、引き続き現在表示している２Ｄ画像又は３Ｄ画像を表示させる。
【００６３】
一方、ステップＳ３６において、コマ送り指示入力があったことが判別されると（「Ｙｅｓ」の場合）、次の１コマの画像ファイルを読み出したのち（ステップＳ２６）、ステップＳ１２に遷移させる。
【００６４】
これにより、コマ送り再生が指示されている場合には、コマ送りスイッチによるコマ送り指示が入力されるごとに画像ファイルが読み出され、その読み出された画像ファイルが２Ｄ画像ファイルの場合には２Ｄ画像を表示させ、３Ｄ画像ファイルの場合には３Ｄ画像を表示させる。
【００６５】
尚、ステップＳ２４、ステップＳ３８において、電源スイッチがオフされ、又はスライドショー等の他の再生モードが選択された場合には、通常再生による本再生モードを終了させる。
【００６６】
図７は上記のようにして再生される２Ｄ画像又は３Ｄ画像のイメージ図である。同図に示すように早送り再生時には、読み出される画像ファイルが２Ｄ画像ファイル又は３Ｄ画像ファイルにかかわらず、２Ｄ画像が表示され、一方、コマ送り再生時には、読み出される画像ファイルが２Ｄ画像ファイルの場合には２Ｄ画像が表示され、３Ｄ画像ファイルの場合には３Ｄ画像が表示される。
【００６７】
即ち、早送り再生時には、３Ｄ画像であっても２Ｄ画像として再生するようにしたため、短時間に視差が変化する画像を観察する必要がなく、これにより早送り再生時の画像の視認性を向上させることができるとともに、観察者の疲労感を軽減することができる。
【００６８】
尚、早送り再生は、多数の画像の中から所望の画像を探すときの再生であり、画像を鑑賞するための再生ではないため、３Ｄ画像を２Ｄ画像で表示しても早送り再生の目的は達成される。
【００６９】
また、早送り再生時には、短時間で次々と画像を切り替えて表示させるため、画像処理量が多くなるが、上記のように３Ｄ画像を２Ｄ画像として表示するため、３Ｄ表示用の画像処理が不要となり、処理時間の短縮化を図ることができる。また、３Ｄ画像ファイルに格納されている複数の個別画像のうちの先頭画像（図５の領域Ａ１）まで読み出せば、２Ｄ表示用の画像を生成することができるため、３Ｄ画像ファイルであっても２Ｄ画像ファイルと同様に処理することができる。即ち、図５に示す３Ｄ画像ファイルのうちの領域Ａ２の情報を読み出す必要がない。
【００７０】
尚、早送り再生時には、読み出された画像ファイルが２Ｄ画像ファイル又は３Ｄ画像ファイルにかかわらず、２Ｄ画像として再生するため、図６に示したフローチャートのステップＳ１４の判断は省略することができる。
【００７１】
また、この実施形態では、画像ファイルから本画像を読み出して表示用画像を生成するようにしたが、これに限らず、早送り再生時には、画像ファイルの付属情報に含まれるサムネイル画像を読み出し、このサムネイル画像から表示用画像を生成するようにしてもよい。
【００７２】
サムネイル画像は、画像サイズが小さいため、３Ｄ ＬＣＤ１２の表示サイズに対応する画像サイズに補間処理等によりリサイズする必要があり、これにより画質が低下するが、早送り再生時は画像の鑑賞を目的としていないため、特に支障はない。また、早送り再生時にサムネイル画像を表示させる場合には、図５に示すように画像ファイルの先頭の領域ａ１，又は領域ａ１とａ２の情報のみを読み出せばよいため、より処理時間の短縮化を図ることができる。
【００７３】
［３次元画像表示装置の第２実施形態］
図８及び図９はそれぞれ本発明の第２実施形態の３次元画像表示装置を備えたデジタルカメラの正面図及び背面図である。
【００７４】
これらの図面に示すように、このデジタルカメラ１００は、正面（前面）に左右一対の撮影レンズ１６０Ｌ，１６０Ｒが設けられ、背面には３Ｄ ＬＣＤ１５０、及び操作部１１６が設けられている。
【００７５】
図１０は図８及び図９に示したデジタルカメラ１００の内部構成を示すブロック図である。
【００７６】
図１０に示すように、デジタルカメラ１００は、２つの撮影部１１２Ｒ及び１１２Ｌを備えた複眼カメラであり、複数の撮影部１１２Ｒ及び１１２Ｌによって撮影した複数の画像からなる３Ｄ画像を１つの３Ｄ表示用の３Ｄ画像ファイルとして記録することができる。
【００７７】
メインＣＰＵ１１４（以下、「ＣＰＵ１１４」という）は、操作部１１６からの入力に基づき所定の制御プログラムに従ってデジタルカメラ１００全体の動作を統括制御する。
【００７８】
ＣＰＵ１１４には、システムバス１２２を介してＲＯＭ１２４、ＥＥＰＲＯＭ１２６及びワークメモリ１２８が接続されている。ＲＯＭ１２４には、ＣＰＵ１１４が実行する制御プログラム及び制御に必要な各種データ等が格納される。ＥＥＰＲＯＭ１２６には、ユーザ設定情報等のデジタルカメラ１００の動作に関する各種設定情報等が格納される。ワークメモリ１２８は、ＣＰＵ１１４の演算作業用領域及び画像データの一時記憶領域を含んでいる。
【００７９】
操作部１１６は、ユーザが各種の操作入力を行うための手段であり、電源／モードスイッチ、モードダイヤル、レリーズスイッチ、十字キー、ズームボタン、ＭＥＮＵ／ＯＫボタン、ＤＩＳＰボタン及びＢＡＣＫボタンを含んでいる。操作用表示部１１８は、操作部１１６からの操作入力の結果を表示するための手段であり、例えば、液晶パネル又は発光ダイオード（ＬＥＤ）を含んでいる。
【００８０】
電源／モードスイッチは、デジタルカメラ１００の電源のオン／オフの切り替え、及びデジタルカメラ１００の動作モード（再生モード及び撮影モード）の切り替え手段である。電源／モードスイッチがオンになると、電源部１２０からデジタルカメラ１００の各部への電力の供給が開始され、デジタルカメラ１００の各種の動作が開始される。また、電源／モードスイッチがオフになると、電源部１２０からデジタルカメラ１００の各部への電力の供給が停止される。
【００８１】
モードダイヤルは、デジタルカメラ１００の撮影モードを切り替えるための操作手段であり、モードダイヤルの設定位置に応じて、２Ｄの静止画を撮影する２Ｄ静止画撮影モード、２Ｄの動画を撮影する２Ｄ動画撮影モード、３Ｄの静止画を撮影する３Ｄ静止画撮影モード及び３Ｄの動画を撮影する３Ｄ動画撮影モードの間で撮影モードが切り替えられる。撮影モードが２Ｄ静止画撮影モード又は２Ｄ動画撮影モードに設定されると、撮影モード管理フラグ１３０に、２Ｄ画像を撮影するための２Ｄモードであることを示すフラグが設定される。また、撮影モードが３Ｄ静止画撮影モード又は３Ｄ動画撮影モードに設定されると、撮影モード管理フラグ１３０に、３Ｄ画像を撮影するための３Ｄモードであることを示すフラグが設定される。ＣＰＵ１１４は、撮影モード管理フラグ１３０を参照して、撮影モードの設定を判別する。
【００８２】
レリーズスイッチは、いわゆる「半押し」と「全押し」とからなる２段ストローク式のスイッチで構成されている。静止画撮影モード時には、レリーズスイッチが半押しされると、撮影準備処理（例えば、ＡＥ（Automatic Exposure：自動露出）処理、ＡＦ（Auto Focus：自動焦点合わせ）処理、ＡＷＢ（Automatic White Balance：自動ホワイトバランス）処理）が行われ、レリーズスイッチが全押しされると、静止画の撮影・記録処理が行われる。また、動画撮影モード時には、レリーズスイッチが全押しされると動画の撮影が開始され、再度全押しされると動画の撮影が終了する。尚、静止画撮影用のレリーズスイッチ及び動画撮影用のレリーズスイッチを別々に設けるようにしてもよい。
【００８３】
３Ｄ ＬＣＤ１５０は、図１に示した３Ｄ画像表示装置１０の３Ｄ ＬＣＤ１２と同様の３Ｄ画像表示器であり、撮影した２Ｄ画像又は３Ｄ画像を表示するための画像表示部として機能するとともに、各種設定時にＧＵＩとして機能する。また、３Ｄ ＬＣＤ１５０は、撮影モード時に画角を確認するための電子ファインダとして機能する。
【００８４】
縦／横撮り検出回路１３２は、例えば、デジタルカメラ１００の向きを検出するためのセンサを含んでおり、デジタルカメラ１００の向きの検出結果をＣＰＵ１１４に入力する。ＣＰＵ１１４は、デジタルカメラ１００が向きの場合に、縦撮りと横撮りの切り替えを行う。
【００８５】
次に、デジタルカメラ１００の撮影機能について説明する。尚、図１０では、各撮影部１１２Ｒ及び１１２Ｌ内の各部にそれぞれ符号Ｒ及びＬを付して区別しているが、各部の機能は略同様であるため、以下の説明では、符号Ｒ及びＬを省略して説明する。
【００８６】
撮影レンズ１６０は、ズームレンズ、フォーカスレンズ及び絞りを備えている。ズームレンズ及びフォーカスレンズは、各撮影部の光軸（図中のＬＲ及びＬＬ）に沿って前後に移動する。ＣＰＵ１１４は、測光・測距ＣＰＵ１８０を介して不図示のズームアクチュエータの駆動を制御することにより、ズームレンズの位置を制御してズーミングを行い、測光・測距ＣＰＵ１８０を介してフォーカスアクチュエータの駆動を制御することにより、フォーカスレンズの位置を制御してフォーカシングを行う。また、ＣＰＵ１１４は、測光・測距ＣＰＵ１８０を介して絞りアクチュエータの駆動を制御することにより、絞りの開口量（絞り値）を制御し、撮像素子１６２への入射光量を制御する。
【００８７】
ＣＰＵ１１４は、３Ｄモード時に複数の画像を撮影する場合に、各撮影部１１２Ｒ及び１１２Ｌの撮影レンズ１６０Ｒ及び１６０Ｌを同期させて駆動する。即ち、撮影レンズ１６０Ｒ及び１６０Ｌは、常に同じ焦点距離（ズーム倍率）に設定される。また、常に同じ入射光量（絞り値）となるように絞りが調整される。更に、３Ｄモード時には、常に同じ被写体にピントが合うように焦点調節が行われる。
【００８８】
フラッシュ発光部１７６は、例えば、放電管（キセノン管）により構成され、暗い被写体を撮影する場合や逆光時等に必要に応じて発光される。充電／発光制御部１７８は、フラッシュ発光部１７６を発光させるための電流を供給するためのメインコンデンサを含んでいる。ＣＰＵ１１４は、測光・測距ＣＰＵ１８０にフラッシュ発光指令を送信して、メインコンデンサの充電制御、フラッシュ発光部１７６の放電（発光）のタイミング及び放電時間の制御等を行う。尚、フラッシュ発光部１７６としては、発光ダイオードを用いてもよい。
【００８９】
撮影部１１２は、被写体に光を照射するための距離用発光素子１８６（例えば、発光ダイオード）と、上記距離用発光素子１８６により光が照射された被写体の画像（測距用画像）を撮影する距離用撮像素子１８４とを備えている。
【００９０】
測光・測距ＣＰＵ１８０は、ＣＰＵ１１４からの指令に基づいて、所定のタイミングで距離用発光素子１８６を発光させるとともに、距離用撮像素子１８４を制御して測距用画像を撮影させる。
【００９１】
距離用撮像素子１８４によって撮影された測距用画像は、Ａ／Ｄ変換器１９６によりデジタルデータに変換されて、距離情報処理回路１９８に入力される。
【００９２】
距離情報処理回路１９８は、距離用撮像素子１８４から取得した測距用画像を用いて、いわゆる三角測距の原理に基づいて、撮影部１１２Ｒ及び１１２Ｌによって撮影された被写体とデジタルカメラ１００との間の距離（被写体距離）を算出する。距離情報処理回路１９８によって算出された被写体距離は、距離情報記憶回路１０３に記録される。
【００９３】
尚、被写体距離の算出方法としては、距離用発光素子１８６が発光してから、距離用発光素子１８６によって照射された光が被写体によって反射され、距離用撮像素子１８４に届くまでの光の飛行時間（遅れ時間）と光の速度から被写体距離を算出するＴＯＦ（Time of Flight）法を用いてもよい。
【００９４】
また、撮影部１１２は、間隔／輻輳角駆動回路１８８及び間隔／輻輳角検出回路１９０を備えている。
【００９５】
間隔／輻輳角駆動回路１８８Ｒ及び１８８Ｌは、それぞれ撮影部１１２Ｒ及び１１２Ｌを駆動する。ＣＰＵ１１４は、間隔／輻輳角制御回路１９２を介して間隔／輻輳角駆動回路１８８Ｒ及び１８８Ｌを動作させて、撮影レンズ１６０Ｒと１６０Ｌとの間隔及び輻輳角を調整する。
【００９６】
間隔／輻輳角検出回路１９０Ｒ及び１９０Ｌは、例えば、電波を送受信する手段を含んでいる。ＣＰＵ１１４は、間隔／輻輳角制御回路９２を介して間隔／輻輳角検出回路１９０Ｒ及び１９０Ｌを動作させて、電波を相互に送受信させることにより、撮影レンズ１６０Ｒと１６０Ｌとの間隔及び輻輳角を測定する。撮影レンズ１６０Ｒと１６０Ｌとの間隔及び輻輳角の測定結果は、レンズ間隔・輻輳角記憶回路１０２に記憶される。
【００９７】
撮像素子１６２は、例えば、カラーＣＣＤ固体撮像素子により構成されている。撮像素子１６２の受光面には、多数のフォトダイオードが２次元的に配画素されており、各フォトダイオードには所定の配画素で３原色（Ｒ、Ｇ、Ｂ）のカラーフィルタが配置されている。撮影レンズ１６０によって撮像素子６２の受光面上に結像された被写体の光学像は、このフォトダイオードによって入射光量に応じた信号電荷に変換される。各フォトダイオードに蓄積された信号電荷は、ＣＰＵ１１４の指令に従ってＴＧ１６４から与えられる駆動パルスに基づいて信号電荷に応じた電圧信号（Ｒ、Ｇ、Ｂ信号）として撮像素子１６２から順次読み出される。撮像素子１６２は、電子シャッタ機能を備えており、フォトダイオードへの電荷蓄積時間を制御することにより、露光時間（シャッタ速度）が制御される。
【００９８】
尚、撮像素子１６２としては、ＣＭＯＳセンサ等のＣＣＤ以外の撮像素子を用いることもできる。
【００９９】
アナログ信号処理部１６６は、撮像素子１６２から出力されたＲ、Ｇ、Ｂ信号に含まれるリセットノイズ（低周波）を除去するための相関２重サンプリング回路（ＣＤＳ）、Ｒ、Ｇ、Ｂ信号を増幅して一定レベルの大きさにコントロールするためのＡＧＳ回路を含んでいる。撮像素子１６２から出力されるアナログのＲ、Ｇ、Ｂ信号は、アナログ信号処理部１６６によって相関２重サンプリング処理されるとともに増幅される。アナログ信号処理部１６６から出力されたアナログのＲ、Ｇ、Ｂ信号は、Ａ／Ｄ変換器１６８によってデジタルのＲ、Ｇ、Ｂ信号に変換されて、画像入力コントローラ（バッファメモリ）１７０に入力される。
【０１００】
デジタル信号処理部１７２は、同時化回路（単板ＣＣＤのカラーフィルタ配画素に伴う色信号の空間的なズレを補間して色信号を同時式に変換する処理回路）、ホワイトバランス調整回路、階調変換処理回路（ガンマ補正回路）、輪郭補正回路、輝度・色差信号生成回路等を含んでいる。画像入力コントローラ１７０に入力されたデジタルのＲ、Ｇ、Ｂ信号は、デジタル信号処理部１７２によって、同時化処理、ホワイトバランス調整、階調変換及び輪郭補正等の所定の処理が施されるとともに、輝度信号（Ｙ信号）及び色差信号（Ｃｒ、Ｃｂ信号）からなるＹ／Ｃ信号に変換される。
【０１０１】
ライブビュー画像（スルー画）を３Ｄ ＬＣＤ１５０に表示する場合、デジタル信号処理部１７２において生成されたＹ／Ｃ信号がバッファメモリ１４４に順次供給される。表示コントローラ１４２は、バッファメモリ１４４に供給されたＹ／Ｃ信号を読み出してＹＣ−ＲＧＢ変換部１４６に出力する。ＹＣ−ＲＧＢ変換部１４６は、表示コントローラ１４２から入力されたＹ／Ｃ信号をＲ、Ｇ、Ｂ信号に変換してドライバ１４８を介して３Ｄ ＬＣＤ１５０に出力する。これにより、３Ｄ ＬＣＤ１５０にスルー画が表示される。
【０１０２】
ここで、カメラのモードが撮影モードであり、２Ｄモードの場合には、所定の１つの撮影部（例えば、１１２Ｒ）により記録用の画像が撮影される。２Ｄモード時に、撮影部１１２Ｒによって撮影された画像は、圧縮・伸張処理部１７４Ｒによって圧縮される。この圧縮画像データは、メモリコントローラ１３４及びカードＩ／Ｆ１３８を介して、所定形式の画像ファイルとしてメモリカード３４に記録される。例えば、静止画についてはＪＰＥＧ（Joint Photographic Experts Group）、動画についてはＭＰＥＧ２又はＭＰＥＧ４、Ｈ．２６４規格に準拠した圧縮画像ファイルとして記録される。
【０１０３】
また、カメラのモードが撮影モードであり、３Ｄモード時には、撮影部１１２Ｒ及び１１２Ｌによって同期して画像が撮影される。尚、３Ｄモード時には、ＡＦ処理及びＡＥ処理は、撮影部１１２Ｒ及び１１２Ｌのいずれか一方によって取得された画像信号に基づいて行われる。３Ｄモード時に、各撮影部１１２Ｒ及び１１２Ｌによって撮影された２視点の画像は、それぞれ圧縮・伸張処理部１７４Ｒ及び１７４Ｌによって圧縮され、１つの３Ｄ画像ファイルに格納されてメモリカード３４に記録される。また、３Ｄ画像ファイルには、２視点の圧縮画像データとともに、被写体距離情報、撮影レンズ１６０Ｒ及び１６０Ｌの間隔及び輻輳角に関する情報等が格納される。
【０１０４】
一方、カメラの動作モードが再生モード時には、メモリカード３４に記録されている最終の画像ファイル（最後に記録された画像ファイル）が読み出されて、圧縮・伸張処理部１７４によって非圧縮のＹ／Ｃ信号に伸張された後、バッファメモリ１４４に入力される。表示コントローラ１４２は、バッファメモリ１４４に供給されたＹ／Ｃ信号を読み出してＹＣ−ＲＧＢ変換部１４６に出力する。ＹＣ−ＲＧＢ変換部１４６は、表示コントローラ１４２から入力されたＹ／Ｃ信号をＲ、Ｇ、Ｂ信号に変換してドライバ１４８を介して３Ｄ ＬＣＤ１５０に出力する。これにより、メモリカード３４に記録されている画像ファイルの画像が３Ｄ ＬＣＤ１５０に表示される。
【０１０５】
ここで、メモリカード３４から読み出された画像ファイルが２Ｄ画像ファイルの場合には、２Ｄ画像ファイルから２Ｄ画像が読み出され、３Ｄ ＬＣＤ１５０に２Ｄ画像として表示される。
【０１０６】
一方、メモリカード３４から読み出された画像ファイルが３Ｄ画像ファイルの場合には、３Ｄ画像ファイルから異なる視点で撮影された右目用の画像と左目用の画像が抽出され、３Ｄ ＬＣＤ１５０に３Ｄ画像として表示される。
【０１０７】
また、再生モード時に、操作部１１６のＤＩＳＰボタンを操作することにより、３Ｄ ＬＣＤ１５０に、複数の画像の縮小画像（サムネイル画像）からなるインデックス画像を表示させることができる。
【０１０８】
このデジタルカメラ１００は、再生モード時に早送り再生が指示されると、図１に示した３Ｄ画像表示装置１０と同様に、読み出される画像ファイルが２Ｄ画像ファイル又は３Ｄ画像ファイルにかかわらず、２Ｄ画像が表示され、一方、コマ送り再生時には、読み出される画像ファイルが２Ｄ画像ファイルの場合には２Ｄ画像が表示され、３Ｄ画像ファイルの場合には３Ｄ画像が表示される。
【０１０９】
［３次元画像表示装置の第３実施形態］
前述したように早送り再生が指示されると、読み出される画像ファイルが２Ｄ画像ファイル又は３Ｄ画像ファイルにかかわらず、２Ｄ画像が表示されるため、表示された画像が２Ｄ画像ファイルから生成されたものか、３Ｄ画像ファイルから生成されたものかを識別することができない。
【０１１０】
第３実施形態の３Ｄ画像表示装置は、早送り再生時にも２Ｄ画像と３Ｄ画像との識別できるようにしたものである。
【０１１１】
図１１は左右方向の異なる４方向から異なる画像が視認できる３Ｄ画像表示器の原理を示す図である。
【０１１２】
図１１に示す３Ｄ画像表示器は、画素２００上にレンチキュラレンズ２０２が設けられており、それぞれ３画素おきに同じ指向性をもつ画素ｎ４ｉ−３、画素ｎ４ｉ−２、画素ｎ４ｉ−１、及び画素ｎ４ｉ（ｉ＝１、２、３、…）毎の画素群により左右方向に指向性をもった４つの指向性画像を表示させることができるようになっている。
【０１１３】
即ち、画素ｎ４ｉ−３の画素群は、レンチキュラレンズ２０２により視点Ｐ１の方向の指向性画像を表示させることができ、同様に画素ｎ４ｉ−２、画素ｎ４ｉ−１、及び画素ｎ４ｉの画素群は、それぞれレンチキュラレンズ２０２により視点Ｐ２、視点Ｐ３、及び視点Ｐ４の方向の指向性画像を表示させることができるようになっている。
【０１１４】
ここで、３Ｄ画像表示器を正面から見る場合（左右の目の位置が視点Ｐ２、Ｐ３にある場合）には、画素ｎ４ｉ−２、画素ｎ４ｉ−１の画素群からの２つの画像をそれぞれ見ることができ、同様に３Ｄ画像表示器を右から見る場合（左右の目の位置が視点Ｐ１、Ｐ２にある場合）には、画素ｎ４ｉ−３、画素ｎ４ｉ−２の画素群からの２つの画像をそれぞれ見ることができ、３Ｄ画像表示器を左から見る場合（左右の目の位置が視点Ｐ３、Ｐ４にある場合）には、画素ｎ４ｉ−１、画素ｎ４ｉの画素群からの２つの画像をそれぞれ見ることができる。
【０１１５】
従って、各視点Ｐ１〜Ｐ４に対応する４つの指向性画像として、同じ画像を表示させると、どの位置からも同じ画像を視認することができ、視差をもった４視点の視差画像を表示させると、視点位置ごとに異なる視差画像を視認（立体視）することができる。
【０１１６】
図１２から図１４はそれぞれ第３実施形態の３Ｄ画像表示装置を備えたデジタルカメラ１００’の背面図である。尚、このデジタルカメラ１００’は、図９に示した第２実施形態のデジタルカメラ１００と略同じ構成を有するが、背面の３Ｄ ＬＣＤ１５０’は、図１１に示した４方向から異なる画像が視認できる３Ｄ画像表示器が適用され、また、早送り再生時には、以下に示すように３Ｄ ＬＣＤ１５０’に種類の異なる指向性画像を表示させる点で、第２実施形態のものと相違する。
【０１１７】
即ち、デジタルカメラ１００’は、早送り再生時において、３Ｄ ＬＣＤ１５０’を正面から見る場合と、右から見る場合と、左から見る場合とで異なる画像が視認されるように再生する。
【０１１８】
＜３Ｄ ＬＣＤ１５０’を正面から見る場合＞
３Ｄ ＬＣＤ１５０’を正面から見る場合には、図１１に示したように視点Ｐ２、Ｐ３から画素ｎ４ｉ−２、画素ｎ４ｉ−１の画素群の２つの指向性画像を視認することができる。デジタルカメラ１００’は、上記２つの指向性画像として同じ画像を表示させる。これにより、左右の目には、同じ画像が見え、２Ｄ画像として視認される。この点では、前述した第１、第２実施形態と同一である。
【０１１９】
＜３Ｄ ＬＣＤ１５０’を右から見る場合＞
３Ｄ ＬＣＤ１５０’を右から見る場合には、図１１に示したように視点Ｐ1、Ｐ2ら画素ｎ４ｉ−3、画素ｎ４ｉ−2の画素群の２つの指向性画像を視認することができる。そして、画素ｎ４ｉ−3の画素群の指向性画像は、現在読み出されている画像ファイルが２Ｄ画像ファイルの場合には、前記画素ｎ４ｉ−２、画素ｎ４ｉ−１の画素群の２つの指向性画像と同じ画像を表示させるが、現在読み出されている画像ファイルが３Ｄ画像ファイルの場合には、図１３に示すように３Ｄ画像のファイル名、視点数、撮影日、その他、図示しない撮影情報等の３Ｄ画像に関連する情報を表示させる。
【０１２０】
これにより、早送り再生時には、現在読み出される画像ファイルが２Ｄ画像ファイル又は３Ｄ画像ファイルにかかわらず、２Ｄ画像として再生されるため、再生されている画像が２Ｄ画像ファイルから生成されたものか、又は３Ｄ画像ファイルから生成されたものかを区別することができないが、３Ｄ ＬＣＤ１５０’を右から見ることにより、３Ｄ画像ファイルから生成された左画像（２Ｄ画像）が再生されている場合には、その３Ｄ画像ファイル（３Ｄ画像）に関連する情報が視認できるため、２Ｄ画像ファイルから生成された２Ｄ画像か３Ｄ画像ファイルから生成された２Ｄ画像かを区別することができる。
【０１２１】
尚、図１３の３Ｄ ＬＣＤ１５０’上には、３Ｄ画像に関連する情報のみが表示されているが、同時に３Ｄ画像ファイルから生成された２Ｄ画像の指向性画像も表示されており、これらの画像がそれぞれ視認できるようになっている。
【０１２２】
＜３Ｄ ＬＣＤ１５０’を左から見る場合＞
３Ｄ ＬＣＤ１５０’を左から見る場合には、図１１に示したように視点Ｐ３、Ｐ４ら画素ｎ４ｉ−１、画素ｎ４ｉの画素群の２つの指向性画像を視認することができる。そして、画素ｎ４ｉの画素群の指向性画像は、現在読み出されている画像ファイルが３Ｄ画像ファイルの場合には、前記画素ｎ４ｉ−２、画素ｎ４ｉ−１の画素群の２つの指向性画像と同じ画像を表示させるが、現在読み出されている画像ファイルが２Ｄ画像ファイルの場合には、図１４に示すように２Ｄ画像のファイル名、撮影日、その他、図示しない撮影情報等の２Ｄ画像に関連する情報を表示させる。
【０１２３】
これにより、早送り再生時には、現在読み出される画像ファイルが２Ｄ画像ファイル又は３Ｄ画像ファイルにかかわらず、２Ｄ画像として再生されるため、再生されている画像が２Ｄ画像ファイルから生成されたものか、又は３Ｄ画像ファイルから生成されたものかを区別することができないが、３Ｄ ＬＣＤ１５０’を左から見ることにより、２Ｄ画像ファイルから生成された２Ｄ画像が再生されている場合には、その２Ｄ画像ファイル（２Ｄ画像）に関連する情報が視認できるため、２Ｄ画像ファイルから生成された２Ｄ画像か３Ｄ画像ファイルから生成された２Ｄ画像かを区別することができる。
【０１２４】
尚、図１４の３Ｄ ＬＣＤ１５０’上には、２Ｄ画像に関連する情報のみが表示されているが、同時に２Ｄ画像ファイルから生成された２Ｄ画像の指向性画像も表示されており、これらの画像がそれぞれ視認できるようになっている。
【０１２５】
下記の［表１］は、早送り再生時に３Ｄ ＬＣＤ１５０’を見る方向及び画像ファイルの種別に応じて視認できる画像を纏めたものである。
【０１２６】
【表１】
2011097451.tif 000003
【０１２７】
上記第３実施形態によれば、早送り再生時に２Ｄ画像ファイルから所望の画像をサーチする場合や、３Ｄ画像ファイルから所望の画像をサーチする場合には、デジタルカメラ１００’を左右方向に傾けることで、２Ｄ画像と３Ｄ画像との識別を所望の画像をサーチすることができる。
【０１２８】
尚、３Ｄ ＬＣＤ１５０’としては、この第３実施形態ものに限らず、３Ｄ画像の表示が可能な２方向以上の指向性画像を表示することができるものであれば、如何なるものでもよい。
【０１２９】
また、本発明は上述した実施形態に限定されず、本発明の精神を逸脱しない範囲で種々の変形が可能であることは言うまでもない。
【符号の説明】
【０１３０】
１０…３次元画像表示装置（３Ｄ画像表示装置）、１２、１５０、１５０’…３次元液晶ディスプレイ（３Ｄ ＬＣＤ）、２０、１１４…中央処理装置（ＣＰＵ）、２２、１２８…ワークメモリ、２６、１００、１００’…デジタルカメラ、１４２…表示コントローラ、２８、１３６…バッファメモリ、３０、１２６…ＥＥＰＲＯＭ
【図１】
2011097451.tif 000004
【図２】
2011097451.tif 000005
【図３】
2011097451.tif 000006
【図４】
2011097451.tif 000007
【図５】
2011097451.tif 000008
【図６】
2011097451.tif 000009
【図７】
2011097451.tif 000010
【図８】
2011097451.tif 000011
【図９】
2011097451.tif 000012
【図１０】
2011097451.tif 000013
【図１１】
2011097451.tif 000014
【図１２】
2011097451.tif 000015
【図１３】
2011097451.tif 000016
【図１４】
2011097451.tif 000017